(57)【要約】【課題】  各種ゲーム装置の電源として使用される充電池の充電準備作業を大幅に簡略化することが可能な。【解決手段】  商用電源に接続される装置本体(1)と、ユーザにより操作される入力手段(2,5)及び無線コントローラ用充電池(12)を有するとともに前記入力手段(2,5)より生じた信号を無線方式により前記装置本体(1)へ伝送する無線コントローラ(2)とを備え、前記装置本体(1)に前記無線コントローラ用充電池(12)を充電可能な充電器(34)が設けられている。【選択図】  図１
2006141656.tif 000002
【特許請求の範囲】
【請求項１】
商用電源に接続される装置本体と、ユーザにより操作される入力手段及び無線コントローラ用充電池を有するとともに前記入力手段より生じた信号を無線方式により前記装置本体へ伝送する無線コントローラとを備え、前記装置本体に前記無線コントローラ用充電池を充電可能な充電器が設けられていることを特徴とする据置型ゲーム装置。
【請求項２】
前記装置本体に前記充電器が複数設けられていることを特徴とする請求項１記載の据置型ゲーム装置。
【請求項３】
商用電源に接続される装置本体に、携帯型ゲーム装置用充電池を充電可能な充電器が設けられていることを特徴とする据置型ゲーム装置。
【請求項４】
ユーザにより操作される入力手段及び無線コントローラ用充電池を有するとともに前記入力手段より生じた信号を無線方式により前記装置本体へ伝送する無線コントローラを備え、前記充電器は、前記無線コントローラ用充電池も充電可能であることを特徴とする請求項３記載の据置型ゲーム装置。
【請求項５】
前記装置本体に前記充電器が複数設けられていることを特徴とする請求項３又は４記載の据置型ゲーム装置。
【発明の詳細な説明】
【技術分野】
【０００１】
本発明は、商用電源に接続される装置本体を備える据置型ゲーム装置に関する。
【背景技術】
【０００２】
一般的な家庭用据置型ゲーム装置は、ゲーム装置本体とゲーム装置本体に接続されたコントローラとから構成され、テレビの画面に表示される映像を見ながらゲーム装置本体に接続されたコントローラを操作するような構成とされている。コントローラとゲーム装置本体との接続には通常ケーブルが使用されるが、ゲームの操作や室内移動時の妨げになる等不便な点が多い。そこで近年では、コントローラからゲーム装置本体への信号伝送を無線で行う、ワイヤレス方式のコントローラに注目が集まっている（例えば、特許文献１等参照。）。
【特許文献１】特開平９−１９５６５号公報
【発明の開示】
【発明が解決しようとする課題】
【０００３】
ところで、ワイヤレス方式のコントローラには電源として充電池が使用されるが、ゲームを行うこと等によりコントローラを操作すると充電池が消耗してくるため、ユーザは充電池を充電する必要がある。しかしながら、充電の際には、手元に充電器を用意し、コントローラから取り外した充電池を充電器に装着し、充電器のプラグをコンセントに差し込むといった煩わしい準備作業が必要となる。例えばゲーム中に充電が必要となった場合には、このような充電準備作業のためにゲームを長時間中断しなければならない。また、充電器の使用頻度はゲーム装置やコントローラに比べると低いことから、充電器はゲーム装置やコントローラとは別の場所に収納されることが多いため、収納場所から充電器を探すのに時間も手間もかかり、場合によっては充電器を紛失することさえある。さらに、ゲーム装置とは別に充電器の収納スペースを確保する必要がある。また、充電池は携帯型ゲーム装置の電源としても使用されるが、携帯型ゲーム装置用充電池の充電の際にも、前述のような据置型ゲーム装置のコントローラ用充電池の場合と同様の不都合が生じる。
【０００４】
そこで本発明はこのような従来の実情に鑑みて提案されたものであり、各種ゲーム装置の電源として使用される充電池の充電準備作業を大幅に簡略化することが可能な据置型ゲーム装置を提供することを目的とする。
【課題を解決するための手段】
【０００５】
前述の問題を解決するために、本発明の請求項１に係る据置型ゲーム装置は、商用電源に接続される装置本体と、ユーザにより操作される入力手段及び無線コントローラ用充電池を有するとともに前記入力手段より生じた信号を無線方式により前記装置本体へ伝送する無線コントローラとを備え、前記装置本体に前記無線コントローラ用充電池を充電可能な充電器が設けられていることを特徴とする。
【０００６】
以上のような据置型ゲーム装置では、従来は独立した装置であった充電器を装置本体に一体化している。装置本体が充電器としての機能を兼ねるため、充電の際に充電器を別途用意する必要がなく、充電器を探すという煩わしい操作が省略される。また、充電器の収納スペースが不要となり、省スペース化が図られる。さらに、充電器を装置本体に一体化することによって、部品の共用が可能となり、コスト低減が実現される。
【０００７】
また、本発明の請求項３に係る据置型ゲーム装置は、商用電源に接続される装置本体に
、携帯型ゲーム装置用充電池を充電可能な充電器が設けられていることを特徴とする。
【０００８】
以上のような据置型ゲーム装置は、据置型ゲーム装置としての本来の機能の他に、装置本体に携帯型ゲーム装置用充電器を一体化し、携帯型ゲーム装置用充電池の充電機能を兼ね備えるものである。このため、据置型ゲーム装置と携帯型ゲーム装置との両方を所有する場合には、携帯型ゲーム装置用充電器を別途用意する必要がなく、携帯型ゲーム装置の充電池を充電する際に充電器を探すという煩わしい操作が省略される。また、携帯型ゲーム装置用充電器の収納スペースが不要となり、省スペース化が図られる。さらに、携帯型ゲーム装置用充電器を据置型ゲーム装置の装置本体に一体化することによって、部品の共用が可能となり、コスト低減が実現される。
【発明の効果】
【０００９】
本発明の据置型ゲーム装置によれば、無線コントローラ用充電池の充電準備作業を大幅に簡略して短時間且つ簡単な充電を実現し、充電器の収納の省スペース化やコスト低減を図ることができる。
【００１０】
また、本発明の据置型ゲーム装置によれば、携帯型ゲーム装置用充電池の充電準備作業を大幅に簡略して短時間且つ簡単な充電を実現し、充電器の収納の省スペース化やコスト低減を図ることができきる。
【発明を実施するための最良の形態】
【００１１】
以下、本発明を適用したゲーム装置について、図面を参照しながら詳細に説明する。
＜第１の実施形態＞
図１に、本発明の第１の実施形態の据置型ゲーム装置１を示す。図１に示す据置型ゲーム装置１は、基本的には無線コントローラ２と装置本体３とを備えて構成され、無線コントローラ２から装置本体３への信号の伝送を無線により行うものである。据置型ゲーム装置１の装置本体３に対し、ケーブル４を介して有線コントローラ５を接続することも可能である。
【００１２】
無線コントローラ２は、ゲーム操作を行うための複数個のスイッチ１１と、電源としての無線コントローラ用充電池１２を脱着自在に収納する電池収納部（図示は省略する。）と、ユーザがスイッチ１１を操作することにより生じる信号を装置本体３へ発信する無線発信部（図示は省略する。）とを備え、無線発信部から装置本体へ無線信号を伝送する構成とされる。有線コントローラ５においては、無線コントローラ２と同じく、ゲーム操作を行うための複数のスイッチ２１を有するが、作動に必要な電源をケーブル４を介して装置本体３から得ているため、充電池は不要である。
【００１３】
装置本体３は、ゲームのプログラム等が格納されたＣＤ−ＲＯＭ等の記録媒体を収納する記録媒体収納部３１と、無線コントローラ２から発信される無線信号を受信する無線受信部（図示は省略する。）とを備える。装置本体３は、例えば商用電源に接続されたプラグ３２及びケーブル３３を介して装置本体３各部の動作に必要な電源を得ている。
【００１４】
また、装置本体３は、筐体の前面に無線コントローラ２から取り外された充電池１２を充電する充電部３４を備える。充電部３４は、充電池１２を装着可能であれば特に問わず、例えば図１に示すような充電池１２を挿入可能なスロット形状とされる。また、充電部３４の形状は、例えば図２に示すような、充電池１２が装着される凹部３５が蓋３６で開閉可能な構造でもよい。蓋体３６に充電池１２をセットした後、蓋体３６を閉じることによって充電池１２が充電部３４に装着される。なお、図２ではプラグ３２及びケーブル３３の図示を省略している。さらに、充電池１２を無線コントローラ２から取り外して装置本体３の充電部３４に装着するパターンに限定されず、充電池１２の充電が可能であれば
、例えば無線コントローラ２に充電池１２を収納したまま充電部３４に装着し、充電を行ってもかまわない。
【００１５】
据置型ゲーム装置１において、ユーザがゲームをすることにより無線コントローラ２に収納された充電池１２が消耗し、充電の必要が生じた場合には、次のような操作を行う。最初に、無線コントローラ２から充電池１２を取り出す。次に、装置本体３に設けられた充電部３４に取り外された充電池１２を装着する。ゲーム操作時には通常ユーザの近傍に装置本体３が置かれているため、充電が必要となった場合にユーザが充電器を探す手間が省略される。また、装置本体３は、プラグ３２及びケーブル３３を介して既にコンセントに接続されているため、プラグ３２をコンセント３３に接続する手間も省略され、充電池１２を充電部３４に装着するだけで充電開始可能となる。
【００１６】
以上のように、本発明の据置型ゲーム装置１においては、充電器を探したりコンセントに接続したりする等の充電準備作業が大幅に簡略化され、無線コントローラ用充電池１２の充電準備に要する時間、すなわちゲームの中断時間を短縮することができる。また、充電器（充電部３４）と装置本体３とで部品の共用が可能となり、コストダウンにもなる。また、独立した充電器が不要となるため、収納スペースが不要となり省スペース化が実現され、当然ながら充電器が紛失することはない。
【００１７】
また、充電池１２を複数個用意しておけば、消耗した１つの充電池１２を残容量に余裕のある他の充電池１２と交換して無線コントローラ２に収納することにより、消耗した充電池１２を充電しながらゲームを続行することが可能であり、ゲームの中断を最小限にとどめて快適にゲームを行うことができる。
【００１８】
なお、図３に示すように、装置本体３に複数の充電部３４が設けられる構成でもよい。この場合、多数の充電池１２を効率的に充電できる。
＜第２の実施形態＞
次に、本発明の第２の実施形態の据置型ゲーム装置について、図４を参照しながら説明する。以下、第１の実施形態に示す据置型ゲーム装置と同じ部材については同じ符号を付し、詳細な説明を省略する。
【００１９】
図４に示す据置型ゲーム装置１は、装置本体３に、ゲームのプログラム等が格納されたＣＤ−ＲＯＭ等の記録媒体を収納する記録媒体収納部３１と、充電部３４を備える。据置型ゲーム装置１の充電部３４は、携帯型ゲーム装置４１の電源である携帯型ゲーム装置用充電池４２を充電可能である。ここで、携帯型ゲーム装置４１とは、例えばコントローラ、ディスプレイ、媒体読み取り部、制御部等が筐体内に組み込まれ、充電池４２からこれら各部に電源を供給するように構成されている。
【００２０】
ユーザが据置型ゲーム装置１及び携帯型ゲーム装置４１の両方を所有し、携帯型ゲーム装置４１でゲームをすることにより充電池４２が消耗し、充電の必要が生じた場合には、次のような操作を行う。最初に、携帯型ゲーム装置４１から充電池４２を取り出す。次に、装置本体３に設けられた充電部３４に、取り外された充電池４２を装着する。このとき、据置型ゲーム装置１はある程度サイズが大きく目立つことから、携帯型ゲーム装置４１の充電池４２の充電に際し充電器（据置型ゲーム装置１の装置本体３）を探す手間が省略される。また、据置型ゲーム装置１の装置本体３は、プラグ３２及びケーブル３３を介して既にコンセントに接続されているため、プラグ３２をコンセント３３に接続する手間も省略され、充電池１２を充電部３４に装着するだけで充電開始可能となる。
【００２１】
以上のように、本発明の据置型ゲーム装置１においては、据置型ゲーム装置１としての本来の機能（ゲーム）の他、携帯型ゲーム装置４１の充電池４２の充電機能を兼ね備える
。したがって、ユーザが据置型ゲーム装置１及び携帯型ゲーム装置４１の両方を所有する場合には、携帯型ゲーム装置４１の充電池４２の充電準備作業を大幅に簡略化することができ、携帯型ゲーム装置４１の充電池４２の充電準備に要する時間、すなわちゲームの中断時間を短縮することができる。また、充電器（充電部３４）と装置本体３とで部品の共用が可能となり、コストダウンにもなる。また、独立した充電器が不要となるため、省スペース化が実現される。また、充電器としての装置本体３を紛失する可能性は極めて低い。以上のように、据置型ゲーム装置１の充電部３４に携帯型ゲーム装置４１の充電機能を持たせることにより、携帯型ゲーム装置４１の使い勝手を向上させることができる。
【００２２】
また、携帯型ゲーム装置４１の充電池４２を複数個用意しておけば、消耗した１つの充電池４２を残容量に余裕のある他の充電池４２と交換して携帯型ゲーム装置４１の図示しない電池収納部に収納することにより、消耗した充電池４２を充電しながら携帯型ゲーム装置４１でゲームを続行することが可能であり、ゲームの中断を最小限にとどめて快適にゲームを行うことができる。
【００２３】
なお、充電池４２を、携帯型ゲーム装置４１から取り外して装置本体３の充電部３４に装着するパターンに限定されず、充電池４２の充電が可能であれば、例えば、携帯型ゲーム装置４１に充電池４２を収納したまま充電部３４に装着し、充電を行ってもかまわない。
【００２４】
また、図示は省略するが、据置型ゲーム装置１においても、装置本体３に複数の充電部３４が設けられた構成でもよい。この場合、多数の携帯型ゲーム装置４１の充電池１２を効率的に充電できる。
【００２５】
また、図４の据置型ゲーム装置３１の説明では、充電部３４が携帯型ゲーム装置４１の充電池４２を充電する構造を例に挙げたが、これに限定されるものではない。例えば、コントローラとして無線コントローラを用いるとともに、充電部が無線コントローラの充電池も充電可能な構造であってもよい。据置型ゲーム装置の充電部が、携帯型ゲーム装置の充電池と無線コントローラの充電池との両方の充電機能を兼ねることによって、携帯型ゲーム装置の充電器及び無線コントローラの充電器の両方が不要となる。このため、携帯型ゲーム装置の充電器及び据置型ゲーム装置の充電器が不要になることに起因する利点を両方得ることができる。
【図面の簡単な説明】
【００２６】
【図１】第１の実施形態の据置型ゲーム装置を示す模式図である。
【図２】第１の実施形態の据置型ゲーム装置の装置本体の変形例を示す模式図である。
【図３】第１の実施形態の据置型ゲーム装置の装置本体の変形例を示す模式図である。
【図４】第２の実施形態の据置型ゲーム装置を示す模式図である。
【符号の説明】
【００２７】
１  据置型ゲーム装置
２  無線コントローラ
３  装置本体
４  ケーブル
５  有線コントローラ
１１  スイッチ
１２  無線コントローラ用充電池
２１  スイッチ
３１  記録媒体収納部
３２  プラグ
３３  ケーブル
３４  充電部
３５  凹部
３６  蓋
４１  携帯型ゲーム装置
４２  携帯型ゲーム装置用充電池
【図１】
2006141656.tif 000003
【図２】
2006141656.tif 000004
【図３】
2006141656.tif 000005
【図４】
2006141656.tif 000006